(57)【要約】【課題】各スクレーパの片持ちアームに確実に、かつ安価に潤滑油を塗布する。【解決手段】搬送樋１の側壁１１に上下二段のガイドレール２、３を設け、この上下のガイドレール２、３内を循環して移動するエンドレスチェーン４に、スクレーパ５を片持ちアーム６を介して揺動可能に複数個取り付ける。前記搬送樋１の上端にスクレーパ５の片持ちアーム６に潤滑油を塗布するローラ２１と、前記ローラ２１に潤滑油を補充するオイルポット３１とを設ける。前記スクレーパ５が上段のガイドレールを移動する際に、その片持ちアーム６が海綿ローラ２１に当たり、その片持ちアーム６により海綿ローラ２１が持ち上げられて、オイルポット３１から補充された潤滑油を含侵させた海綿ローラ２１が回転するとともに片持ちアーム６に潤滑油が塗布される。【選択図】図２
2007169031.tif 000002
【特許請求の範囲】
【請求項１】
搬送樋（１）の両端間に設けた上下二段のガイドレール（２、３）を循環して移動するエンドレスチェーン（４）に、スクレーパ（５）を片持ちアーム（６）を介して揺動可能に複数個取り付け、前記搬送樋（１）の両端部に設けたスクレーパガイド（７）に前記片持ちアーム（６）を摺接させて前記各スクレーパ（５）の向きを反転させるスクレーパコンベヤにおいて、
上記上段のガイドレール（２）を移動する非搬送状態の前記スクレーパ（５）の片持ちアーム（６）に接触するローラ（２１）と、前記ローラ（２１）に潤滑油を補充するオイルポット（３１）とを設けたことを特徴とするスクレーパコンベヤ。
【請求項２】
上記ローラ（２１）を上下方向に揺動可能に取り付けたことを特徴とする請求項１に記載のスクレーパコンベヤ。
【発明の詳細な説明】
【技術分野】
【０００１】
この発明は、工作機械から排出される切り屑、削り屑やプレス型抜きした抜き屑等の搬送物をスクレーパにより押送するスクレーパコンベヤに関する。
【背景技術】
【０００２】
従来から、工作機械から排出される切り屑、削り屑やプレス型抜きした抜き屑等の搬送物をスクレーパにより押送するスクレーパコンベアが知られている（特許文献１参照）。
【０００３】
上記スクレーパコンベアは、搬送樋の一方の側壁に上下２段のコの字形のガイドレールを設け、この上下のガイドレール内にエンドレスチェーンを循環して移動させ、このエンドレスチェーンに、片持ちアームを介して揺動自在にスクレーパを取り付けたものである。
【０００４】
上記エンドレスチェーンのスクレーパを取り付けた部分が下段のガイドレール内を移動するときは、スクレーパは自重で搬送樋の底壁に当接するように揺動し、その底壁を摺動して切り屑等の搬送物を押送する。一方、前記エンドレスチェーンの部分が上段のガイドレール内を移動するときは、スクレーパはその片持ちアームを上向きにして自重により垂れ下がった状態で移動する。
【０００５】
また、上記エンドレスチェーンのスクレーパを吊り下げる部分が、下段のガイドレールから上段のガイドレールへ、あるいは上段のガイドレールから下段のガイドレールに移動するときには、搬送樋側壁の両端部に設けられたスクレーパガイドがその片持ちアームを摺接させることで各スクレーパの向きを反転させる。
【特許文献１】特開平５−８８２７号公報
【発明の開示】
【発明が解決しようとする課題】
【０００６】
上記特許文献１に記載のスクレーパコンベアは、前述のように、各スクレーパがその片持ちアームを上記スクレーパガイドに摺接させながらその向きを反転させるものである。そのため、このスクレーパの片持ちアームに潤滑油を塗布してスクレーパガイドとの摺接による磨耗を防ぐ必要がある。
【０００７】
しかし、上記特許文献１に記載のスクレーパコンベアは、複数のスクレーパがエンドレスチェーンにより所定速度で搬送樋の側壁に沿って移動しているため、各スクレーパの片持ちアームに確実にかつ所要量の潤滑油を塗布することが難しいという問題があった。
【０００８】
また、各スクレーパのアーム部に潤滑油を塗布するには、スクレーパの移動速度や位置を検知したり、潤滑油の塗布量を制御したりするなど、一般に、複雑な機構を有する装置を製作する必要があり、それらの機構の分だけ製作コストが高価になるという問題もあった。
【０００９】
そこで、この発明は、上記各スクレーパの片持ちアームに確実に、かつ安価に潤滑油を塗布することを課題とする。
【課題を解決するための手段】
【００１０】
前記の課題を解決するために、搬送樋の両端間に設けた上下二段のガイドレールを循環して移動するエンドレスチェーンに、スクレーパを片持ちアームを介して揺動可能に複数個取り付け、前記搬送樋の両端部に設けたスクレーパガイドに前記片持ちアームを摺接させて前記各スクレーパの向きを反転させるスクレーパコンベヤにおいて、前記上段のガイドレールを移動する非搬送状態の前記スクレーパの片持ちアームに接触するローラと、前記ローラに潤滑油を補充するオイルポットとを設けた構成を採用したのである。
【００１１】
この構成によると、非搬送状態の上記各スクレーパが上段のガイドレールを移動して、その片持ちアームが上記ローラに当たると、このローラが回転するとともにオイルポットからローラに補充された潤滑油が前記各スクレーパの片持ちアームに塗布される。また、搬送樋にローラと、このローラに潤滑油を補充するオイルポットとを設けた構成で、スクレーパの片持ちアームに潤滑油を塗布することができるため、複雑な機構を有する装置を製作する必要がなくなり、製作コストを安価にすることができる。
【００１２】
また、上記構成において、上記ローラが上下に揺動可能に取り付けられた構成とすることができる。この構成により、上記各スクレーパの片持ちアームがローラに当たると、このローラが持ち上げられ、片持ちアームの上をスムーズに回転し、各スクレーパの移動を妨げることなくその片持ちアームに潤滑油を塗布することができる。
【００１３】
さらに、上記各スクレーパの片持ちアームが移動してローラに当たる際に、上記ローラが片持ちアームにより持ち上げられ、ローラが自重でその側面を片持ちアームに押し付けているので、スクレーパの移動に伴って回転し、片持ちアームに対する接触圧が安定して潤滑油の塗布量が安定する。
【発明の効果】
【００１４】
以上のように、この発明は、スクレーパの片持ちアームに確実に、かつ安価に潤滑油を塗布することができるので、スクレーパの片持ちアームのスクレーパガイドとの摺接による磨耗を防止できる。
【発明を実施するための最良の形態】
【００１５】
以下、この発明の実施形態を添付図面に基づいて説明する。
【００１６】
この発明の実施形態のスクレーパコンベアを添付図面図１〜図４に示す。
上記スクレーパコンベアは、図１に示すように、搬送樋１の側壁１１に上下二段のガイドレール２、３を循環して移動するエンドレスチェーン４に、スクレーパ５が片持ちアーム６を介して揺動可能に複数個取り付ける。前記搬送樋１側壁の両端部に設けたスクレーパガイド７に前記片持ちアーム６を摺接させて前記各スクレーパ５の向きを反転させるものである。
【００１７】
上記搬送樋１は、図２に示すように、横断面Ｖ字状の左右底壁８、９と、直立する左右の側壁１１、１２とからなり、一方の側壁１１の内側には断面コの字形の上記上下二段のガイドレール２、３が設けられる。
【００１８】
上記搬送樋１の一端には、図１に示すように、下方に開口する落下口１３が設けられ、この落下口１３の上方にモータＭによって駆動する駆動スプロケット１４が設けられる。他端には、従動スプロケット１５が設けられ、両スプロケット１４、１５間にエンドレスチェーン４が掛け渡され、これが上下二段のガイドレール２、３内を循環して移動している。このエンドレスチェーン４には、所定の間隔毎に配置されたリンク１６に支持ブラケット１７が設けられる。
【００１９】
上記エンドレスチェーン４に取り付けられる上記スクレーパ５は、板状に形成され、搬送樋１の左右底壁８、９を摺動する状態で、その底壁８、９の断面形状に沿うように下端部がＶ字状に形成され、その外側の一端に片持ちアーム６が取り付けられたものである。この片持ちアーム６の上端部と上記エンドレスチェーン４の支持ブラケット１７の下端とが支持軸１８を介して連結される。これにより、前記スクレーパ５は、その自重でエンドレスチェーン４に上下に揺動可能に吊り下げられる。
【００２０】
前記スクレーパ５の向きを反転させるスクレーパガイド７は、図１に示すように、上記搬送樋１の側壁１１両端にそれぞれ設けられる。各スクレーパガイド７、７は、棒状に形成され、下段のガイドレール３の端部付近の下方から、駆動スプロケット１４、あるいは従動スプロケット１５の外周に沿って、上方に湾曲して設けられたものである。
【００２１】
これにより、図３に示すように、上記スクレーパ５により切り屑などの搬送物を搬送樋１の落下口１３に落下させた後、このスクレーパ５は、エンドレスチェーン４の移動に伴って、その片持ちアーム６を上記スクレーパガイド７に摺接させながら、その向きを反転して、その片持ちアーム６が上向きで自重により垂れ下がった状態で移動する。
【００２２】
一方、図４に示すように、上段のガイドレール２内を移動する自重により垂れ下がった状態のスクレーパ５は、上段のガイドレール２から下段のガイドレール３に移動する際に、その片持ちアーム６を上記スクレーパガイド７に摺接させながら、その向きを反転して、下端部を搬送樋１の底壁８、９に当接して搬送樋１内を摺動する。
【００２３】
図１に示すように、上記搬送樋１の側壁１１上端の従動スプロケット１５寄りの位置に、海綿ローラ２１とオイルポット３１とが設けられる。この海綿ローラ２１は、図２に示すように、支持柄２２に回転自在に取り付けられる。この支持柄２２は、上記搬送樋１の側壁１１上端に固定される受け筒２４に連結部材２３を介して、その海綿ローラ２１を搬送樋１の内側に向けた状態で取り付けられる。
【００２４】
上記連結部材２３は、上記支持柄２２を保持する保持筒部２５と、この保持筒部２５の側面から延び出し、受け筒２４に挿入される挿し込み棒部２６とを有する。この保持筒部２５には支持柄２２が挿入され、これを任意の位置に保持する。この保持手段は、特に限定しないが、例えば、保持筒部２５の側面を貫通するねじを締め付けて支持柄２２を固定するものや、筒部２５の両端面に支持柄２２の太さよりも若干小さい孔を開けたゴムキャップを被せて支持柄２２を挿入して固定するものなどが挙げられる。
【００２５】
また、上記連結部材２３の挿し込み棒部２６を上記受け筒２４に挿入することで、支持柄２２が受け筒２４に対して上下動自在に取り付けられ、海綿ローラ２１を上下方向（連結部材２３の受け筒２４に対する出し入れ方向）に揺動させることができる。
【００２６】
また、上記受け筒２４は、これに取り付けられる支持柄２２の海綿ローラ２１の軸方向が、上段のガイドレール２を移動するスクレーパ５の片持ちアーム６と平行となるように、所定角度をもって搬送樋１の側壁１１上端に取り付けられる。このようにすると、図２に示すように、支持柄２２の位置を調節して、自重により垂れ下がったスクレーパ５の片持ちアーム６にその海綿ローラ２１を接触させることができる。
【００２７】
これにより、上記各スクレーパ５が自重で垂れ下がって空中を移動し、その片持ちアーム６が上記海綿ローラ２１に当たると、その片持ちアーム６により海綿ローラ２１が持ち上げられて、この海綿ローラ２１が回転するとともに後述するオイルポット３１から補充された潤滑油が片持ちアーム６に塗布される。
【００２８】
上記オイルポット３１は、コック３２とオイルゲージ３３とを備えたものであり、その内部には潤滑油が入れられる。この潤滑油の残量はオイルゲージ３３により表示され、コック３２には上記海綿ローラ２１の上方へ延びる導管３４が取り付けられ、コック３２により適量の潤滑油が導管３４を通って海綿ローラ２１に滴下される。
【００２９】
なお、上段のガイドレール２内を移動するエンドレスチェーン４の部分およびその部分に吊り下げられたスクレーパ５を覆うために、カバー４１を搬送樋１の側壁１１に設けても良い。
【００３０】
この実施形態のスクレーパコンベアは、以上のように構成され、次にその作用を説明する。
【００３１】
上記下段のガイドレール３内を移動するエンドレスチェーン４の部分に吊り下げられたスクレーパ５は、自重で搬送樋１の底壁８、９に当接するように揺動し、その底壁８、９を摺動して搬送樋１内の切り屑等の搬送物を押送する。
【００３２】
その後、図３に示すように、切り屑などの搬送物を搬送樋１の落下口１３に落下させた後、このスクレーパ５は、エンドレスチェーン４の移動に伴って、その片持ちアーム６を上記スクレーパガイド７に摺接させながら、その向きを反転して、その片持ちアーム６が上向きで自重により垂れ下がった状態で上段のガイドレールを移動する。
【００３３】
上段のガイドレールを移動するスクレーパ５は、図２に示すように、その片持ちアーム６が上記海綿ローラ２１に当たると、その片持ちアーム６により海綿ローラ２１が持ち上げられて、潤滑油を含侵させた海綿ローラ２１が回転するとともに片持ちアーム６に潤滑油が塗布される。この海綿ローラ２１は、片持ちアーム６により持ち上げられるので、
片持ちアーム６の上をスムーズに回転し、各スクレーパ５の移動を妨げることなくその片持ちアーム６に潤滑油を塗布することができる。また、海綿ローラ２１は自重でその側面を片持ちアーム６に押し付けているので、スクレーパ５の移動に伴って回転し、片持ちアーム６に対する接触圧が安定して潤滑油の塗布量が安定する。
【００３４】
片持ちアーム６に潤滑油が塗布されたスクレーパ５は、図４に示すように、上段のガイドレール２から下段のガイドレール３に移動する際に、その片持ちアーム６を上記スクレーパガイド７に摺接させながら、その向きを反転する。その後、下端部を搬送樋１の底壁８、９に当接させ、エンドレスチェーン４の移動により搬送樋１内を摺動し、再び搬送物を押送する。前記スクレーパ５は、その片持ちアーム６に潤滑油が塗布されるので、スクレーパガイド７との摺接による、片持ちアーム６の磨耗を防止できる。
【図面の簡単な説明】
【００３５】
【図１】実施形態のスクレーパコンベアを示す一部切り欠いた側面図
【図２】同上の要部を示す断面図
【図３】同上の搬送樋の駆動スプロケット側の端部を示す断面斜視図
【図４】同上の搬送樋の従動スプロケット側の端部を示す断面斜視図
【符号の説明】
【００３６】
１  搬送樋
２  ガイドレール
３  ガイドレール
４  エンドレスチェーン
５  スクレーパ
６  片持ちアーム
７  スクレーパガイド
８  底壁
９  底壁
１１  側壁
１２  側壁
１３  落下口
１４  駆動スプロケット
１５  従動スプロケット
１６  リンク
１７  支持ブラケット
１８  支持軸
２１  海綿ローラ
２２  支持柄
２３  連結部材
２４  受け筒
２５  筒部
２６  棒部
３１  オイルポット
３２  コック
３３  オイルゲージ
３４  導管
【図１】
2007169031.tif 000003
【図２】
2007169031.tif 000004
【図３】
2007169031.tif 000005
【図４】
2007169031.tif 000006